(57)【要約】【課題】係止具で係止された先端部分の牽引作業に伴う破断を防止することができる牽引用ワイヤの提供。【解決手段】牽引用ワイヤ４の先端部分５が、他の部分４ａよりも大きな強度を有する強度部材、例えばチェーン８から成り、このチェーン８の端部にフック６を連結させてある。木材７の牽引作業に際しては、木材７に先端部分５、すなわちチェーン８を巻き回し、このチェーン８の端部に設けられるフック６をチェーン８に係止させる。このように木材７をチェーン８とフック６で締結させた状態で、ウインチ２を駆動、あるいは油圧ショベル１を走行させることにより、木材７の牽引が効率よく実施される。【選択図】      図２
2004196489.tif 000002
【特許請求の範囲】
【請求項１】
走行可能な本体に設けられるウインチに巻き回され、端部に係止具を備え、先端部分が被牽引対象物に巻き回され、上記係止具を上記先端部分に係止させた状態で、上記被牽引対象物を牽引する牽引用ワイヤにおいて、
上記係止具が係止される先端部分が、他の部分よりも大きな強度を有する強度部材から成ることを特徴とする牽引用ワイヤ。
【請求項２】
上記請求項１記載の発明において、
上記強度部材がチェーンから成ることを特徴とする牽引用ワイヤ。
【請求項３】
上記請求項２記載の発明において、
一端部を上記チェーンに連結され、他端部を上記係止具に連結される補助ワイヤを設け、この補助ワイヤの強度を上記他の部分の強度と同等に設定したことを特徴とする牽引用ワイヤ。
【請求項４】
上記請求項３記載の発明において、
上記チェーンと上記他の部分とを連結する連結具を設けたことを特徴とする牽引用ワイヤ。
【請求項５】
上記請求項３記載の発明において、
上記チェーンと上記補助ワイヤとを連結する連結具を設けたことを特徴とする牽引用ワイヤ。
【請求項６】
上記請求項４または５記載の発明において、
上記連結具がシャックルから成ることを特徴とする牽引用ワイヤ。
【請求項７】
上記請求項１記載の発明において、
上記強度部材が、上記他の部分の径寸法よりも大きい径寸法を有するワイヤ部分から成ることを特徴とする牽引用ワイヤ。
【請求項８】
上記請求項１記載の発明において、
上記強度部材が金具から成ることを特徴とする牽引用ワイヤ。
【請求項９】
上記請求項１記載の発明において、
上記係止具がフックから成ることを特徴とする牽引用ワイヤ。
【請求項１０】
上記請求項１記載の発明において、
上記被牽引対象物が木材であることを特徴とする牽引用ワイヤ。
【請求項１１】
上記請求項１記載の発明において、
上記本体が油圧ショベルから成ることを特徴とする牽引用ワイヤ。
【発明の詳細な説明】
【０００１】
【発明の属する技術分野】
本発明は、走行可能な本体に設けられるウインチに巻き回され、木材等の被牽引対象物を牽引する牽引用ワイヤに関する。
【０００２】
【従来の技術】
従来、ウインチを備えたアーム式作業機が提案されている。この従来技術は、走行可能な本体を形成するアーム式作業機、例えば油圧ショベルに、ウインチと、このウインチに巻き回されるワイヤとを備えるとともに、ワイヤの先端に杭打ちをおこなうバイブロハンマが備えられている（例えば、特許文献１参照。）。
【０００３】
ところで、上述したようなウインチを備えた油圧ショベルにおいて、バイブロハンマに代えて、ワイヤの先端部分に係止可能な係止具、例えばフックを設け、被牽引対象物、例えば木材を牽引する牽引作業機として活用されるものが知られている。
【０００４】
図７は上述した従来の牽引作業機を示す側面図、図８は図７に示す牽引作業機を用いて実施される牽引作業に際し、牽引用ワイヤの先端部分を木材に巻き回した状態を示す図である。
【０００５】
図７に示す牽引作業機は、本体を形成する油圧ショベル１と、この油圧ショベル１に設けられるウインチ２と、この油圧ショベル１のフロント部に設けたシーブ３と、ウインチ２に巻き回されるとともに、シーブ３に掛けられる牽引用ワイヤ４とを備えている。牽引用ワイヤ４の端部には図８に示すように、牽引用ワイヤ４の先端部分５に係止される係止具、例えばフック６が連結されている。
【０００６】
このように構成される牽引作業機では、牽引用ワイヤ４の先端部分５を被牽引対象物、すなわち木材７に巻き回し、図８に示すようにフック６を牽引用ワイヤ４の先端部分５に係止させた状態で、ウインチ２を駆動して牽引用ワイヤ４を巻き取ることにより、あるいは油圧ショベル１を走行させることにより、木材７が牽引される。例えば図７に示すように坂道を登るように吊り上げられる。
【０００７】
【特許文献１】
特開平６−１７４２６号公報（段落番号０００２、図８参照）
【０００８】
【発明が解決しようとする課題】
ところで、上述した図７，８に示す牽引作業機に備えられる牽引用ワイヤ４にあっては、図８に示すように、木材７に先端部分５を巻き回し、フック６を先端部分５に係止させて牽引がおこなわれるが、フック６が係止される先端部分５は折れ曲がり、いわゆるキンクを形成する。このために、繰り返し牽引作業がおこなわれる間、このキンクを形成する先端部分５が引っ張られることに伴ってこの先端部分５が損傷し、ついには破断に至ることがある。
【０００９】
このようにして牽引用ワイヤ４が破断すると、その都度、牽引用ワイヤ４にフック６を締結し直す煩雑な作業が必要となってしまう。また、牽引用ワイヤ４の長さが破断した分だけ短くなり、これにより牽引に本来必要な長さを確保できなくなり、所望の牽引作業に支障をきたすことがある。
【００１０】
本発明は、上述した従来技術における実状からなされたもので、その目的は、係止具で係止された先端部分の牽引作業に伴う破断を防止することができる牽引用ワイヤを提供することにある。
【００１１】
【課題を解決するための手段】
上記目的を達成するために、本発明は、走行可能な本体に設けられるウインチに巻き回され、端部に係止具を備え、先端部分が被牽引対象物に巻き回され、上記係止具を上記先端部分に係止させた状態で、上記被牽引対象物を牽引する牽引用ワイヤにおいて、上記係止具が係止される先端部分が、他の部分よりも大きな強度を有する強度部材から成ることを特徴としている。
【００１２】
このように構成した本発明は、被牽引対象物の牽引作業に際しては、被牽引対象物に先端部分を巻き回し、端部に設けられる係止具を先端部分に含まれる強度部材に係止させ、この状態においてウインチを駆動、あるいは本体を走行させればよい。被牽引対象物は強度部材を含む先端部分及び係止具によって締結されるので、本体の方向へ牽引される。この間、係止具が係止されるワイヤ先端部分の強度部材は、当該牽引用ワイヤの他の部分に比べて大きな強度を有するので、この強度部材における損傷を抑制でき、これにより破断を防止できる。
【００１３】
また本発明は、上記発明において、上記強度部材がチェーンから成ることを特徴としている。
【００１４】
また本発明は、上記発明において、一端部を上記チェーンに連結され、他端部を上記係止具に連結される補助ワイヤを設け、この補助ワイヤの強度を牽引用ワイヤの上記他の部分の強度と同等に設定したことを特徴としている。
【００１５】
このように構成した本発明は、先端部分の一部をチェーンよりも重量の軽い補助ワイヤで形成してあることから、この先端部分の重量を軽減させることができる。
【００１６】
また本発明は、上記発明において、上記チェーンと上記他の部分とを連結する連結具を設けたことを特徴としている。
【００１７】
このように構成した本発明は、チェーンと、補助ワイヤと、係止具を含む先端部分の長さ寸法の異なるものをあらかじめ複数用意しておき、被牽引対象物の大きさに合わせて最適な長さの先端部分を選択し、その先端部分を連結具を介して他の部分に連結すればよい。これにより被牽引対象物に堅固に締結させることができる。
【００１８】
また本発明は、上記発明において、上記チェーンと上記補助ワイヤとを連結する連結具を設けたことを特徴としている。
【００１９】
このように構成した本発明は、補助ワイヤと、係止具とを含む一体物の長さ寸法の異なるものをあらかじめ複数用意しておき、被牽引対象物の大きさに合わせて最適な長さの上記一体物を選択し、その一体物を連結具を介してチェーンに連結させればよい。これにより被牽引対象物に堅固に締結させることができる。
【００２０】
また本発明は、上記発明において、上記連結具がシャックルから成ることを特徴としている。
【００２１】
また本発明は、上記発明において、上記強度部材が、上記他の部分の径寸法よりも大きい径寸法を有するワイヤ部分から成ることを特徴としている。
【００２２】
また本発明は、上記発明において、上記強度部材が金具から成ることを特徴としている。
【００２３】
また本発明は、上記発明において、上記係止具がフックから成ることを特徴としている。
【００２４】
また本発明は、上記発明において、上記被牽引対象物が木材であることを特徴としている。
【００２５】
また本発明は、上記発明において、上記本体が油圧ショベルから成ることを特徴としている。
【００２６】
【発明の実施の形態】
以下，本発明の牽引用ワイヤの実施形態を図に基づいて説明する。
【００２７】
図１は本発明の牽引用ワイヤの第１実施形態の要部である先端部分を示す図、図２は図１に示す第１実施形態の先端部分を木材に巻き回した状態を示す図である。
【００２８】
これらの図１，２に示す要部を有するこの第１実施形態も、例えば前述した図７に示す牽引作業機のウインチ２に巻き回されるものである。したがって、必要に応じてこの図７に示した符号を用いて以下の説明をおこなう。
【００２９】
この第１実施形態も図１，２に示すように、牽引用ワイヤ４の端部に係止具、例えばフック６を備えているが、このフック６が係止される先端部分５が、寸法Ｌに設定され、他のワイヤ部分４ａよりも大きな強度を有する強度部材、例えばチェーン８から成っている。このチェーン８の端部に上述したフック６を連結させてある。
【００３０】
被牽引対象物、例えば木材７の牽引作業に際しては、木材７に先端部分５、すなわちチェーン８を巻き回し、このチェーン８の端部に設けられるフック６をチェーン８に係止させる。このようにして木材７をチェーン８とフック６で締結させた状態で、図７に示すウインチ２を駆動、あるいは本体を形成する油圧ショベル１を走行させればよい。これにより木材７は牽引される。
【００３１】
このように構成した第１実施形態によれば、フック６が係止されるチェーン８部分は、牽引用ワイヤ４の他の部分に比べて大きな強度を有するので、牽引作業の間、チェーン８のフック６が係止される部分における損傷を抑制でき、これによりチェーン８の破断を防止できる。したがって、破断に伴うフック６の締結し直し作業を招くことがなく、優れた耐久性を確保できる。また、上述のように破断せず、優れた耐久性を確保できることから、木材７の牽引作業の中断等を生じさせることがなく、牽引作業能率の向上に貢献する。
【００３２】
図３は本発明の第２実施形態の要部である先端部分を示す図、図４は図３に示す第２実施形態の先端部分を木材に巻き回した状態を示す図である。
【００３３】
この第２実施形態は、牽引用ワイヤ４の先端部分５が、寸法Ｌに設定され、強度部材を構成するチェーン９と、補助ワイヤ１０とから成っている。すなわち、牽引用ワイヤ４の他の部分４ａの端部に寸法が略Ｌ２のチェーン９の一端部を連結させてあり、このチェーン９の他端部に寸法Ｌ１の補助ワイヤ１０の一端部を連結させてあり、この補助ワイヤ１０の他端部にフック６を連結させてある。Ｌ１＋Ｌ２＝Ｌとなっている。補助ワイヤ１０の径寸法は、先端部分５を除くワイヤ部分である他の部分４ａの径寸法と、例えば同等に設定してある。すなわち、補助ワイヤ１０の強度を他の部分４ａの強度と同等に設定してある。
【００３４】
このように構成した第２実施形態も、木材７の牽引作業に際しては、木材７に先端部分５が巻き回され、このように巻き回された状態でフック６が強度部材を構成するチェーン９に係止される。したがって、上述した第１実施形態におけるのと同様に、チェーン９部分における損傷を抑制でき、これによりチェーン９の破断を防止でき、第１実施形態と同等の作用効果を得ることができる。
【００３５】
また特に、先端部分５の全体でなく、一部をチェーンよりも重量の軽い補助ワイヤ１０で形成してあることから、この先端部分５の重量を第１実施形態に比べて軽減させることができ、取扱いの利便性を向上させることができる。
【００３６】
図５は本発明のさらに別の実施形態の要部である先端部分を示す図、図６は図５に示す別の実施形態に備えられるシャックルを拡大して示した図である。
【００３７】
図５の（ａ）（ｂ）図で示す別の実施形態も、先端部分５が寸法Ｌに設定され、この先端部分５が強度部材を構成する寸法が略Ｌ２のチェーン１２と、寸法がＬ１の補助ワイヤ１３とから成っているＬ１＋Ｌ２＝Ｌである。
【００３８】
同図５の（ａ）図に示すものは、牽引用ワイヤ４の他の部分４ａの端部に連結具、例えば図６に示すシャックル１１を取り付けてあり、このシャックル１１にチェーン１２の一端部を連結させてある。このチェーン１２の他端部に補助ワイヤ１３の一端部を連結させてあり、この補助ワイヤ１３の他端部にフック６を連結させてある。この（ａ）図に示すものも、例えば木材７に巻き回した際に、フック６がチェーン１２に係止されるようになっている。
【００３９】
図５の（ｂ）図に示すものは、牽引用ワイヤ４の他の部分４ａの端部にチェーン１２の一端部を連結させてあり、このチェーン１２の他端部に連結具、例えば図６に示すシャックル１１を連結させてある。このシャックル１１に補助ワイヤ１３の一端部を連結させてあり、この補助ワイヤ１３の他端部にフック６を連結させてある。この（ｂ）図に示すものも、例えば木材７に巻き回した際に、フック６がチェーン１２に係止されるようになっている。
【００４０】
また、上述した（ａ）（ｂ）に示す補助ワイヤ１３の径寸法は、前述した第２実施形態におけるのと同様に、先端部分５を除くワイヤ部分である他の部分４ａの径寸法と、例えば同等に設定してある。したがって、補助ワイヤ１３の強度は他の部分４ａの強度と同等になっている。
【００４１】
このように構成した別の実施形態も、先端部分５が強度部材を構成するチェーン１２と、補助ワイヤ１３とから成ることから、前述した第２実施形態におけるのと同等の作用効果が得られる。
【００４２】
また特に、同図５の（ａ）図に示すものは、シャックル１１と、チェーン１２と、補助ワイヤ１３と、フック６とを含む先端部分５の寸法Ｌの異なるものをあらかじめ複数用意しておき、その中から牽引する木材７の径寸法に合う長さを有するものを選択して、他の部分４ａに連結させるようにすることにより、木材７に堅固に締結できる。同様に同図５の（ｂ）図に示すものは、シャックル１１と、補助ワイヤ１３と、フック６とを含む一体物の寸法Ｌ１の異なるものをあらかじめ複数用意しておき、その中から牽引する木材７の径寸法に合う長さを有するものを選択して、チェーン１２に連結させるようにすることにより、木材７に堅固に締結できる。このように、複数用意したものの中から、木材７の径寸法に適合する長さのものを選択することにより、牽引作業を安全におこなうことができ、また、牽引作業の能率向上に貢献する。
【００４３】
なお、上記各実施形態では、強度部材としてチェーン８，９，１２を設けた構成にしてあるが、本発明は、このように構成することには限られない。例えば、チェーンを設ける代りに、強度部材として当該牽引ワイヤ４の他の部分４ａの径寸法よりも径寸法が大きく強度の大きいワイヤを設けてもよい。
【００４４】
また、チェーンを設ける代りに、剛性を有し、強度の大きい金具を設けるようにしてもよい。
【００４５】
また、上記実施形態では、連結可能な本体が油圧ショベルから成っているが、本発明は、このような油圧ショベルに備えられるウインチに巻き回される牽引用ワイヤに適用させることには限られない。例えば、走行可能なクレーンに備えられるウインチに巻き回される牽引用ワイヤに適用させてもよい。
【００４６】
【発明の効果】
以上の構成にしてあることから、本発明の各請求項に係る発明は、係止具で係止された先端部分の牽引作業に伴う破断を防止することができ、従来に比べて優れた耐久性を確保できる。また、このように優れた耐久性を確保できることから、牽引作業を従来に比べて能率よくおこなうことができる。
【００４７】
また特に、請求項３に係る発明は、先端部分の重量を軽減させることができ、取扱いの利便性を向上させることができる。
【００４８】
また請求項４，５に係る発明は、被牽引対象物に堅固に締結させることができ、牽引作業を安全におこなうことができるとともに、牽引作業の能率向上に貢献する。
【図面の簡単な説明】
【図１】本発明の牽引用ワイヤの第１実施形態の要部である先端部分を示す図である。
【図２】図１に示す第１実施形態の先端部分を木材に巻き回した状態を示す図である。
【図３】本発明の第２実施形態の要部である先端部分を示す図である。
【図４】図３に示す第２実施形態の先端部分を木材に巻き回した状態を示す図である。
【図５】本発明のさらに別の実施形態の要部である先端部分を示す図である。
【図６】図５に示す別の実施形態に備えられるシャックルを拡大して示した図である。
【図７】従来の牽引用作業機を示す側面図である。
【図８】図７に示す牽引用作業機を用いて実施される牽引作業に際し、牽引用ワイヤの先端部分を木材に巻き回した状態を示す図である。
【符号の説明】
１    油圧ショベル（本体）
２    ウインチ
３    シーブ
４    牽引用ワイヤ
４ａ  他の部分
５    先端部分
６    フック（係止具）
７    木材（被牽引対象物）
８    チェーン（強度部材）
９    チェーン（強度部材）
１０  補助ワイヤ
１１  シャックル（連結具）
１２  チェーン（強度部材）
１３  補助ワイヤ
【図１】
2004196489.tif 000003
【図２】
2004196489.tif 000004
【図３】
2004196489.tif 000005
【図４】
2004196489.tif 000006
【図５】
2004196489.tif 000007
【図６】
2004196489.tif 000008
【図７】
2004196489.tif 000009
【図８】
2004196489.tif 000010